(57)【要約】【課題】圧縮した画像を部分的にデコードできない圧縮方式であっても処理時間を延長させることなく対応することができる複合画像形成方法及び複合画像形成装置を提供する。【解決手段】原稿を読み取り、原稿の読み取りと同時に１ページ分の画像を任意の数に分割し、分割された画像を圧縮することにより、共通画像を利用でき、かつ、コピー動作においてはページ全体の読取をまたずに印刷が可能なので、ファーストプリント等の印刷性能を向上させることができる。またファクス送信においてはページ全体の読取をまたずに送信が可能なので、通信時間を節約することができる。【選択図】図１
2008011266.tif 000002
【特許請求の範囲】
【請求項１】
原稿を読み取り、前記原稿の読み取りと同時に１ページ分の画像を任意の数に分割し、分割された画像を圧縮することを特徴とする複合画像形成方法。
【請求項２】
分割された領域単位に読み取り、分割された領域単位に書き込み、分割された領域全体で１ページ分の画像を構成することを特徴とする複合画像形成方法。
【請求項３】
前記１ページ分の画像を任意の単位で分割し、分割した画像を圧縮し、圧縮した画像を１つの連続した画像として扱って出力することを特徴とする請求項２記載の複合画像形成方法。
【請求項４】
原稿を入力し、入力した画像の分割をファイルシステムで実行、隠蔽し、入出力装置に対しては連続した画像として扱うことを特徴とする複合画像形成方法。
【請求項５】
出力前のプレビュー画像やサムネイル画像を、ページ分割させずに画像作成することを特徴とする複合画像形成方法。
【請求項６】
分割されていないプレビュー画像やサムネイル画像と、分割している元画像とを、関連付けて管理することを特徴とする複合画像形成方法。
【請求項７】
プレビュー画像やサムネイル画像のページ分割するか否かを選択可能とし、ファイル管理することを特徴とする複合画像形成方法。
【請求項８】
画像作成デバイス制御部に対し、分割基準ライン数を設定し、分割ディスクリプタをＲＡＭ上に作成し、分割ディスクリプタの先頭のアドレスを設定し、スキャナ制御部に読取の指示を行う主制御部と、
設定されたライン数分だけ入力されて画像に対して、ＪＰＥＧ圧縮を行い、ＪＰＥＧ圧縮したデータを、分割ディスクリプタに書かれた出力先アドレスに出力する画像作成デバイス制御部とを備えたことを特徴とする複合画像形成装置。
【請求項９】
スキャナ制御部と、
ファイル管理部と、
前記スキャナ制御部から通知されたファイル情報を、前記ファイル管理部に対してドキュメント管理情報の作成を行い、前記スキャナ制御部から通知されたページ情報を、前記ファイル管理部に対してページ管理情報の作成を行い、前記スキャナ制御部から通知された分割数、アドレスを、前記ファイル管理部に対して分割管理情報として作成を行い、前記スキャナ制御部から通知された書き込みバンドアドレス情報を、前記ファイル管理部に対してバンド情報として作成を行う画像作成デバイスとを備えたことを特徴とする複合画像形成装置。
【請求項１０】
ファイル管理部と、
前記ファイル管理部に対してドキュメント管理情報の引用を行い、ページ情報を、前記ファイル管理部に対してページ管理情報の引用を行い、分割数、アドレスを、前記ファイル管理部に対して分割管理情報の引用を行い、バンドアドレス情報を、前記ファイル管理部に対してバンド情報として引用を行い、上記の情報を画像作成デバイスに入力し、かつ出力装置自身にとって最適な圧縮形式・解像度等を指定し、出力のスタートをかける出力装置とを備えたことを特徴とする複合画像形成装置。
【請求項１１】
画像作成デバイスと、
ファイル管理部に対してドキュメント管理情報の引用を行い、ページ情報を、ファイル管理部に対してページ管理情報の引用を行い、バンドアドレス情報を、ファイル管理部に対してバンド情報として引用を行い、出力装置自身にとって最適な圧縮形式・解像度等をファイルシステムに要求する出力装置と、
分割数、アドレスを、自身のファイル管理部に対して分割管理情報の引用を行うファイル管理部と、
ページ、分割、バンド情報を前記画像作成デバイスに入力し、かつ前記出力装置から指定された最適な圧縮形式・解像度等を前記画像作成デバイスに入力し、出力のスタートを行うファイルシステムとを備えたことを特徴とする複合画像形成装置。
【請求項１２】
ファイル管理部と、
スキャナ制御部と、
前記ファイル管理部から渡された元画像のファイルＩＤを元に、前記ファイル管理部に対してドキュメントオープン処理を行い、前記ファイル管理部に対してページオープン処理を行い、前記スキャナ制御部から通知された書き込みバンドアドレス情報を、前記ファイル管理部に対してバンド情報として作成を行う画像作成デバイスとを備えたことを特徴とする複合画像形成装置。
【請求項１３】
スキャナ制御部と、
ファイル管理部と、
前記ファイル管理部から渡された元画像のファイルＩＤを元に、前記ファイル管理部に対してドキュメントオープン処理を行い、前記ファイル管理部に対してページオープン処理を行い、前記ファイル管理部に対してサムネイル画像情報の作成を行い、前記ファイル管理部に対して分割管理情報の作成を行い、前記スキャナ制御部から通知された書き込みバンドアドレス情報を、前記ファイル管理部に対してバンド情報として作成を行う画像作成デバイスとを備えたことを特徴とする複合画像形成装置。
【請求項１４】
スキャナ制御部と、
ファイル管理部と、
前記ファイル管理部から渡された元画像のファイルＩＤを元に、前記ファイル管理部に対してドキュメントオープン処理を行い、前記ファイル管理部に対してページオープン処理を行い、前記ファイル管理部に対してサムネイル画像情報の作成を行い、サムネイル画像、プレビュー画像を分割し、前記ファイル管理部に対して分割管理情報の作成を行い、前記スキャナ制御部から通知された書き込みバンドアドレス情報を、前記ファイル管理部に対してバンド情報として作成を行う画像作成デバイスとを備えたことを特徴とする複合画像形成装置。
【発明の詳細な説明】
【技術分野】
【０００１】
本発明は、ファクシミリ・アプリケーション以外に他のアプリケーションを有する複合画像形成方法及び複合画像形成装置に関する。
【背景技術】
【０００２】
近年、ディジタル複写機の普及と共に、コピー機能の他にファクシミリ機能を有する複合複写機（複合機、MFPとも言う。）が提案されている。
MFPでは、原稿を読み取りながら印刷するコピー機能や、原稿を読みながら送信するファクス機能やメール送信機能など、入力の動作と出力の動作とを並行処理する機能がある。近年のMFPでは、入力に対し出力の動作を複数選べるような機能が搭載されてきている。たとえば、ワンスキャン動作で、ファクシミリ送信し、控えを取るために印刷したり、HDD（ハードディスクドライバ）に蓄積したりする等の機能がある。そのために、各種機能で一番ハンドリングしやすい画像形式、フォーマット形式で読み取るのが一般的である。その代表として、カラーならJPEG、白黒ならばMMRなどが挙げられる。
【０００３】
以下、MFPではカラーが主力であるため、JPEGで説明を行う。
たとえばRGB形式で読み取った画像を、JPEGで圧縮するハードウェアを有するMFPの場合で問題になるのはコピー機能の場合とファクス機能の場合とがある。
＜コピー機能の場合＞
JPEGの特性から、ページ全体を読み取り完了しないと伸張できないので、ファーストコピースピードあるいはページ間を速くすることが難しくなる。とくに長尺原稿では顕著である。
＜ファクス機能の場合＞
JPEGの特性から、ページ全体を読み取り完了しないと伸張できないので、先頭ページの送信開始が遅れたり、ページ間で通信の待ちを発生させたりしてしまう。とくに長尺原稿では顕著である。最悪の場合通信が切断されてしまう。
【０００４】
さらに近年では、セキュリティや資源節約の観点から、印刷や送信をする前に元画像をオペパネ（オペレーションパネル）で表示し、確認してから出力の動作を行うようになってきている。
またサーバーに画像データを転送して履歴管理を行っている。そのために、プレビューやサムネイル用の画像を作成している。
さらにプレビューやサムネイル用の画像の作成は時間的な制約がないため、一般的な１ページの形式で画像ファイル作成したいという要望がある。
【０００５】
ところで、長尺原稿の複写やファクシミリ送信を行う場合、読取完了してから出力するまでに時間がかかってしまう。
そこで、印刷紙のサイズにあわせるために出力時に分割すること（例えば、特許文献１参照。）が提案されている。
【特許文献１】特開平８−１１６５２５号公報
【発明の開示】
【発明が解決しようとする課題】
【０００６】
しかしながら、上述した従来技術では、圧縮した画像を部分的にデコードできない圧縮方式である場合、処理時間がかかってしまうという問題が生じていた。
そこで、本発明の目的は、圧縮した画像を部分的にデコードできない圧縮方式であっても処理時間を延長させることなく対応することができる複合画像形成方法及び複合画像形成装置を提供することにある。
【課題を解決するための手段】
【０００７】
上記課題を解決するために、請求項１記載の発明は、原稿を読み取り、前記原稿の読み取りと同時に１ページ分の画像を任意の数に分割し、分割された画像を圧縮する複合画像形成方法であることを特徴とする。
【０００８】
請求項２記載の発明は、分割された領域単位に読み取り、分割された領域単位に書き込み、分割された領域全体で１ページ分の画像を構成する複合画像形成方法であることを特徴とする。
【０００９】
請求項３記載の発明は、請求項２記載の発明において、前記１ページ分の画像を任意の単位で分割し、分割した画像を圧縮し、圧縮した画像を１つの連続した画像として扱って出力することを特徴とする。
【００１０】
請求項４記載の発明は、原稿を入力し、入力した画像の分割をファイルシステムで実行、隠蔽し、入出力装置に対しては連続した画像として扱う複合画像形成方法であることを特徴とする。
【００１１】
請求項５記載の発明は、出力前のプレビュー画像やサムネイル画像を、ページ分割させずに画像作成する複合画像形成方法であることを特徴とする。
【００１２】
請求項６記載の発明は、分割されていないプレビュー画像やサムネイル画像と、分割している元画像とを、関連付けて管理する複合画像形成方法であることを特徴とする。
【００１３】
請求項７記載の発明は、プレビュー画像やサムネイル画像のページ分割するか否かを選択可能とし、ファイル管理する複合画像形成方法であることを特徴とする。
【００１４】
請求項８記載の発明は、画像作成デバイス制御部に対し、分割基準ライン数を設定し、分割ディスクリプタをＲＡＭ上に作成し、分割ディスクリプタの先頭のアドレスを設定し、スキャナ制御部に読取の指示を行う主制御部と、設定されたライン数分だけ入力されて画像に対して、ＪＰＥＧ圧縮を行い、ＪＰＥＧ圧縮したデータを、分割ディスクリプタに書かれた出力先アドレスに出力する画像作成デバイス制御部とを備えた複合画像形成装置であることを特徴とする。
【００１５】
請求項９記載の発明は、スキャナ制御部と、ファイル管理部と、前記スキャナ制御部から通知されたファイル情報を、前記ファイル管理部に対してドキュメント管理情報の作成を行い、前記スキャナ制御部から通知されたページ情報を、前記ファイル管理部に対してページ管理情報の作成を行い、前記スキャナ制御部から通知された分割数、アドレスを、前記ファイル管理部に対して分割管理情報として作成を行い、前記スキャナ制御部から通知された書き込みバンドアドレス情報を、前記ファイル管理部に対してバンド情報として作成を行う画像作成デバイスとを備えた複合画像形成装置であることを特徴とする。
【００１６】
請求項１０記載の発明は、ファイル管理部と、前記ファイル管理部に対してドキュメント管理情報の引用を行い、ページ情報を、前記ファイル管理部に対してページ管理情報の引用を行い、分割数、アドレスを、前記ファイル管理部に対して分割管理情報の引用を行い、バンドアドレス情報を、前記ファイル管理部に対してバンド情報として引用を行い、上記の情報を画像作成デバイスに入力し、かつ出力装置自身にとって最適な圧縮形式・解像度等を指定し、出力のスタートをかける出力装置とを備えた複合画像形成装置であることを特徴とする。
【００１７】
請求項１１記載の発明は、画像作成デバイスと、ファイル管理部に対してドキュメント管理情報の引用を行い、ページ情報を、ファイル管理部に対してページ管理情報の引用を行い、バンドアドレス情報を、ファイル管理部に対してバンド情報として引用を行い、出力装置自身にとって最適な圧縮形式・解像度等をファイルシステムに要求する出力装置と、分割数、アドレスを、自身のファイル管理部に対して分割管理情報の引用を行うファイル管理部と、ページ、分割、バンド情報を前記画像作成デバイスに入力し、かつ前記出力装置から指定された最適な圧縮形式・解像度等を前記画像作成デバイスに入力し、出力のスタートを行うファイルシステムとを備えた複合画像形成装置であることを特徴とする。
【００１８】
請求項１２記載の発明は、ファイル管理部と、スキャナ制御部と、前記ファイル管理部から渡された元画像のファイルＩＤを元に、前記ファイル管理部に対してドキュメントオープン処理を行い、前記ファイル管理部に対してページオープン処理を行い、前記スキャナ制御部から通知された書き込みバンドアドレス情報を、前記ファイル管理部に対してバンド情報として作成を行う画像作成デバイスとを備えた複合画像形成装置であることを特徴とする。
【００１９】
請求項１３記載の発明は、スキャナ制御部と、ファイル管理部と、前記ファイル管理部から渡された元画像のファイルＩＤを元に、前記ファイル管理部に対してドキュメントオープン処理を行い、前記ファイル管理部に対してページオープン処理を行い、前記ファイル管理部に対してサムネイル画像情報の作成を行い、前記ファイル管理部に対して分割管理情報の作成を行い、前記スキャナ制御部から通知された書き込みバンドアドレス情報を、前記ファイル管理部に対してバンド情報として作成を行う画像作成デバイスとを備えた複合画像形成装置であることを特徴とする。
【００２０】
請求項１４記載の発明は、スキャナ制御部と、ファイル管理部と、前記ファイル管理部から渡された元画像のファイルＩＤを元に、前記ファイル管理部に対してドキュメントオープン処理を行い、前記ファイル管理部に対してページオープン処理を行い、前記ファイル管理部に対してサムネイル画像情報の作成を行い、サムネイル画像、プレビュー画像を分割し、前記ファイル管理部に対して分割管理情報の作成を行い、前記スキャナ制御部から通知された書き込みバンドアドレス情報を、前記ファイル管理部に対してバンド情報として作成を行う画像作成デバイスとを備えた複合画像形成装置であることを特徴とする。
【発明の効果】
【００２１】
本発明によれば、原稿を読み取り、原稿の読み取りと同時に１ページ分の画像を任意の数に分割し、分割された画像を圧縮することにより、共通画像を利用することができ、かつ、コピー動作においてはページ全体の読取をまたずに印刷が可能なので、ファーストプリント等の印刷性能を向上させることができる。またファクス送信においてはページ全体の読取をまたずに送信が可能なので、通信時間を節約することができる。
【発明を実施するための最良の形態】
【００２２】
１ページをある単位で分割しながらJPEG圧縮するハードウェアが提案されているが、本発明は、それを制御するソフトウェアに関するものである。本発明は、あわせて、並行してプレビューやサムネイル用の画像作成を行うことができ、一般的に扱いやすい分割をしない形式の画像ファイルを作成するものである。
【００２３】
本発明に係る複合画像形成方法の一実施の形態は、原稿を読み取り、原稿の読み取りと同時に１ページ分の画像を任意の数に分割し、分割された画像を圧縮することを特徴とする。
【００２４】
上記構成によれば、共通画像を利用でき、かつ、コピー動作においてはページ全体の読取をまたずに印刷が可能なので、ファーストプリント等の印刷性能を向上させることができる。またファクス送信においてはページ全体の読取をまたずに送信が可能なので、通信時間を節約することができる。その効果は長尺原稿で顕著である。
【００２５】
本発明に係る複合画像形成方法の他の実施の形態は、分割された領域単位に読み取り、分割された領域単位に書き込み、分割された領域全体で１ページ分の画像を構成することを特徴とする。
【００２６】
上記構成によれば、分割を管理できるファイルシステムを搭載することによって、１ページの画像の特性を意識せずに動作可能な入出力装置をMFPに搭載することが可能となる。その結果、過去の入出力装置の資産を再利用できる効果や、新規に作成する場合でも画像特性を考慮しなくてよいという効果が得られる。
【００２７】
本発明に係る複合画像形成方法の他の実施の形態は、上記構成に加え、１ページ分の画像を任意の単位で分割し、分割した画像を圧縮し、圧縮した画像を１つの連続した画像として扱って出力することを特徴とする。
【００２８】
上記構成によれば、分割を管理できるファイルシステムを搭載することによって、1ページの画像の特性を意識せずに動作可能な入出力装置をMFPに搭載することが可能となる。その結果、過去の入出力装置の資産を再利用できる効果や、新規に作成する場合でも画像特性を考慮しなくてよいという効果が得られる。
【００２９】
本発明に係る複合画像形成方法の他の実施の形態は、原稿を入力し、入力した画像の分割をファイルシステムで実行、隠蔽し、入出力装置に対しては連続した画像として扱うことを特徴とする。
【００３０】
上記構成によれば、分割を管理できるファイルシステムを搭載することによって、1ページの画像の特性を意識せずに動作可能な入出力装置をMFPに搭載することが可能となる。その結果、過去の入出力装置の資産を再利用できる効果や、新規に作成する場合でも画像特性を考慮しなくてよいという効果が得られる。
【００３１】
本発明に係る複合画像形成方法の他の実施の形態は、出力前のプレビュー画像やサムネイル画像を、ページ分割させずに画像作成することを特徴とする。
【００３２】
上記構成によれば、出力前のプレビュー画像やサムネイル画像は、一般的な形式に作成可能であるので、再利用しやすくなる。またMFP外部にファイルそのものを転送する場合も扱いやすくなる。
【００３３】
本発明に係る複合画像形成方法の他の実施の形態は、分割されていないプレビュー画像やサムネイル画像と、分割している元画像とを、関連付けて管理することを特徴とする。
【００３４】
上記構成によれば、出力前のプレビュー画像やサムネイル画像は、一般的な形式に作成可能であるので、再利用しやすくなる。またMFP外部にファイルそのものを転送する場合も扱いやすくなる。
【００３５】
本発明に係る複合画像形成方法の他の実施の形態は、プレビュー画像やサムネイル画像のページ分割するか否かを選択可能とし、ファイル管理することを特徴とする。
【００３６】
上記構成によれば、出力前のプレビュー画像やサムネイル画像は、ページ分割することも可能なので、画面の表示可能範囲で分割するようにしておくと、画面スクロールする場合に分割単位で連携できるようになる。これにより、ページ展開するメモリ量を削減することが可能になる。
【００３７】
本発明に係る複合画像形成装置の一実施の形態は、画像作成デバイス制御部に対し、分割基準ライン数を設定し、分割ディスクリプタをＲＡＭ上に作成し、分割ディスクリプタの先頭のアドレスを設定し、スキャナ制御部に読取の指示を行う主制御部と、設定されたライン数分だけ入力されて画像に対して、ＪＰＥＧ圧縮を行い、ＪＰＥＧ圧縮したものを、分割ディスクリプタに書かれた出力先アドレスに出力する画像作成デバイス制御部とを備えたことを特徴とする。
【００３８】
上記構成によれば、共通画像を利用でき、かつ、コピー動作においてはページ全体の読取をまたずに印刷が可能なので、ファーストプリント等の印刷性能を向上させることができる。またファクス送信においてはページ全体の読取をまたずに送信が可能なので、通信時間を節約することができる。その効果は長尺原稿で顕著である。
【００３９】
本発明に係る複合画像形成装置の他の実施の形態は、スキャナ制御部と、ファイル管理部と、スキャナ制御部から通知されたファイル情報を、ファイル管理部に対してドキュメント管理情報の作成を行い、スキャナ制御部から通知されたページ情報を、ファイル管理部に対してページ管理情報の作成を行い、スキャナ制御部から通知された分割数、アドレスを、ファイル管理部に対して分割管理情報として作成を行い、スキャナ制御部から通知された書き込みバンドアドレス情報を、ファイル管理部に対してバンド情報として作成を行う画像作成デバイスとを備えたことを特徴とする。
【００４０】
上記構成によれば、分割を管理できるファイルシステムを搭載することによって、1ページの画像の特性を意識せずに動作可能な入出力装置をMFPに搭載することが可能となる。その結果、過去の入出力装置の資産を再利用できる効果や、新規に作成する場合でも画像特性を考慮しなくてよいという効果が得られる。
【００４１】
本発明に係る複合画像形成装置の他の実施の形態は、ファイル管理部と、ファイル管理部に対してドキュメント管理情報の引用を行い、ページ情報を、ファイル管理部に対してページ管理情報の引用を行い、分割数、アドレスを、ファイル管理部に対して分割管理情報の引用を行い、バンドアドレス情報を、ファイル管理部に対してバンド情報として引用を行い、情報を画像作成デバイスに入力し、かつ出力装置自身にとって最適な圧縮形式・解像度等を指定し、出力のスタートをかける出力装置とを備えたことを特徴とする。
【００４２】
上記構成によれば、分割を管理できるファイルシステムを搭載することによって、1ページの画像の特性を意識せずに動作可能な入出力装置をMFPに搭載することが可能となる。その結果、過去の入出力装置の資産を再利用できる効果や、新規に作成する場合でも画像特性を考慮しなくてよいという効果が得られる。
【００４３】
本発明に係る複合画像形成装置の他の実施の形態は、画像作成デバイスと、ファイル管理部に対してドキュメント管理情報の引用を行い、ページ情報を、ファイル管理部に対してページ管理情報の引用を行い、バンドアドレス情報を、ファイル管理部に対してバンド情報として引用を行い、出力装置自身にとって最適な圧縮形式・解像度等をファイルシステムに要求する出力装置と、分割数、アドレスを、自身のファイル管理部に対して分割管理情報の引用を行うファイル管理部と、ページ、分割、バンド情報を画像作成デバイスに入力し、かつ出力装置から指定された最適な圧縮形式・解像度等を画像作成デバイスに入力し、出力のスタートをかけるファイルシステムとを備えたことを特徴とする。
【００４４】
上記構成によれば、分割を管理できるファイルシステムを搭載することによって、1ページの画像の特性を意識せずに動作可能な入出力装置をMFPに搭載することが可能となる。その結果、過去の入出力装置の資産を再利用できる効果や、新規に作成する場合でも画像特性を考慮しなくてよいという効果が得られる。
【００４５】
本発明に係る複合画像形成装置の他の実施の形態は、ファイル管理部と、スキャナ制御部と、ファイル管理部から渡された元画像のファイルＩＤを元に、ファイル管理部に対してドキュメントオープン処理を行い、ファイル管理部に対してページオープン処理を行い、スキャナ制御部から通知された書き込みバンドアドレス情報を、ファイル管理部に対してバンド情報として作成を行う画像作成デバイスとを備えたことを特徴とする。
【００４６】
上記構成によれば、出力前のプレビュー画像やサムネイル画像は、一般的な形式に作成可能であるので、再利用しやすくなる。またMFP外部にファイルそのものを転送する場合も扱いやすくなる。
【００４７】
本発明に係る複合画像形成装置の他の実施の形態は、スキャナ制御部と、ファイル管理部と、ファイル管理部から渡された元画像のファイルＩＤを元に、ファイル管理部に対してドキュメントオープン処理を行い、ファイル管理部に対してページオープン処理を行い、ファイル管理部に対してサムネイル画像情報の作成を行い、ファイル管理部に対して分割管理情報の作成を行い、スキャナ制御部から通知された書き込みバンドアドレス情報を、ファイル管理部に対してバンド情報として作成を行う画像作成デバイスとを備えたことを特徴とする。
【００４８】
上記構成によれば、出力前のプレビュー画像やサムネイル画像は、ページ分割することも可能なので、画面の表示可能範囲で分割するようにしておくと、画面スクロールする場合に分割単位で連携できるようになる。これにより、ページ展開するメモリ量を削減することが可能になる。
【００４９】
本発明に係る複合画像形成装置の他の実施の形態は、スキャナ制御部と、ファイル管理部と、ファイル管理部から渡された元画像のファイルＩＤを元に、ファイル管理部に対してドキュメントオープン処理を行い、ファイル管理部に対してページオープン処理を行い、ファイル管理部に対してサムネイル画像情報の作成を行い、サムネイル画像、プレビュー画像を分割し、ファイル管理部に対して分割管理情報の作成を行い、スキャナ制御部から通知された書き込みバンドアドレス情報を、ファイル管理部に対してバンド情報として作成を行う画像作成デバイスとを備えたことを特徴とする。
【００５０】
上記構成によれば、共通画像を利用でき、かつ、コピー動作においてはページ全体の読取をまたずに印刷が可能なので、ファーストプリント等の印刷性能を向上させることができる。またファクス送信においてはページ全体の読取をまたずに送信が可能なので、通信時間を節約することができる。その効果は長尺原稿で顕著である。
【００５１】
なお、上述した実施の形態は、本発明の好適な実施の形態の一例を示すものであり、本発明はそれに限定されることなく、その要旨を逸脱しない範囲内において、種々変形実施が可能である。
【実施例１】
【００５２】
図１は、本発明に係る複合画像形成方法を適用した複合画像形成装置の一実施例を示すブロック図である。
同図に示す複合画像形成装置は、主制御部１５０、操作制御部１５１、Ｇ３／Ｇ４制御部１５２、プロッタ制御部１５３、宛先管理部１５４、ファイル管理部１５５、レポート制御部１５６、ネットワーク制御部１５７、メール制御部１５８、ユーザ情報１５９、表示制御部１６０、画像作成デバイス制御部１６１、スキャナ制御部１６２、ジョブ制御部１６３、ジョブログ１６４、内部スイッチ１６５、ページフレーム制御部１６６、サムネイル画像作成部１６７、プレビュー画像作成部１６８及びバスライン１６９で構成されている。
【００５３】
主制御部１５０は、複合画像形成装置を統括制御する機能を有するものであり、例えば、マイクロプロセッサが用いられる（図示しないＲＡＭ、ＲＯＭに接続される）。
操作制御部１５１は、キー操作やボタン操作において、誤操作、異常操作、不要操作を防止するように制御する。
Ｇ３／Ｇ４制御部１５２は、Ｇ３（ファックスの国際規格の１つで、アナログ電話網用の規格）とＧ４（ファックスの国際規格の１つで、ディジタル回線（ＩＳＤＮ）用の規格）とに対応してデータ制御を行う。
プロッタ制御部１５３は、出力装置がプロッタである場合にデータの授受を制御する（出力装置に対応）。
宛先管理部１５４は、データの送信先を識別判断し正確にデータを授受する。
ファイル管理部１５５は、データのファイルを管理する（ファイル作成システムに対応）。
レポート制御部１５６は、ファクシミリ送信もしくはファクシミリ受信の履歴を管理しレポートを作成する。
ネットワーク制御部１５７は、インターネット接続する場合にデータの授受を制御する。
メール制御部１５８は、メールアドレスやメールデータの授受を制御する。
ユーザ情報１５９は、複合画像形成装置のユーザの名前、所在地、購入期日、使用状況、故障修理状況などのデータであるが、ここではこれらの情報を記憶するメモリを意味する。
表示制御部１６０は、操作状況や操作ボタンを表示パネルに表示させる機能を有する。
画像作成デバイス制御部１６１は、後述する各種データの処理を行う（画像作成システムに対応）。
スキャナ制御部１６２は、スキャナによる原稿の読み取りの制御を行う（入力装置に対応）。
ジョブ制御部１６３は、ジョブのログインやログアウトについて制御する。
ジョブログ１６４は、ジョブの標準出力／エラー出力を意味する。
内部スイッチ１６５は、各種設定を行うためのスイッチである。
ページフレーム制御部１６６は、ページフレームを制御する。
サムネイル画像作成部１６７は、多数の画像を一覧表示するために縮小された画像を作成する。
プレビュー画像作成部１６８は、印刷などの正式な出力の前の仮出力画像を作成する。
【００５４】
図２は、図１に示した複合画像形成装置における分割について説明するための説明図である。
図１に示した複合画像形成装置において、分割とは、副走査方向（図の縦方向：原稿の搬送方向）に対して、ある設定された数（分割ライン数：この場合３である）ごとに、画像分割しＪＰＥＧ圧縮することである。すなわち、図２において原稿を読取原点から１番目の分割基準ラインまでの領域Ａと、１番目の分割基準ラインから２番目の分割基準ラインまでの領域Ｂと、２番目の分割基準ラインから終点までの領域Ｃとの３つの領域に分割してＪＰＥＧ圧縮することである。
【００５５】
図３は、図１に示した複合画像形成装置におけるソフトウェアの制御についての説明図である。
画像分割し、ＪＰＥＧ圧縮する画像デバイスを制御するためのソフトウェアの制御について以下説明する。
ＳＴＥＰ１：主制御部１５０（図１参照）は、画像作成デバイス制御部１６１（図１参照）に対し、分割基準ライン数を設定する。
ＳＴＥＰ２：主制御部１０５は、分割ディスクリプタを図３に示すようにＲＡＭ上に作成する。すなわち、スキャンの出力先のアドレス設定情報をＲＡＭ上に作成する。個々のテーブルは分割の単位に対応し、リンク関係にある。
ＳＴＥＰ３：主制御部１５０は、分割ディスクリプタの先頭のアドレスを、画像作成デバイス制御部１６１に対し設定する。
ＳＴＥＰ４：主制御部１５０は、スキャナ制御部１６２に読取の指示を行う。
ＳＴＥＰ５：画像作成デバイス制御部１６１は、設定されたライン数分だけ入力された画像に対して、ＪＰＥＧ圧縮を行う。
ＳＴＥＰ６：画像作成デバイス制御部１６１は、ＪＰＥＧ圧縮したデータを、分割ディスクリプタに書かれた出力先アドレスに出力する。主制御部１５０は、アドレスＡを設定し、スキャナを起動させる。
ここで、サムネイル画像、プレビュー画像が必要な場合は、ＳＴＥＰ２にて、主制御部１５０は、分割ディスクリプタを別途作成する。ただし、この場合１つだけの分割テーブルを作ることになる。
【実施例２】
【００５６】
次に本発明に係る複合画像形成方法の実施例２について図４を参照して説明する。
図４は、本発明に係る複合画像形成方法の実施例２の説明図である。
通常の画像ファイルシステムでは、ドキュメント→ページ→バンドという階層構造で実画像を管理するが、本発明の画像ファイルシステムは、ドキュメント→ページ→分割→バンド→実画像という階層構造で実画像を管理する。
【００５７】
ＳＴＥＰ１：画像作成デバイス制御部１６１（図１参照）は、スキャナ制御部１６２（図１参照）から通知されたファイル情報（ドキュメント名）を、ファイル管理部１５５（図１参照）に対してドキュメント管理情報の作成を行う。
ＳＴＥＰ２：画像作成デバイス制御部１６１は、スキャナ制御部１６２から通知されたページ情報（幅、ライン数）を、ファイル管理部１５５に対してページ管理情報の作成を行う。
ＳＴＥＰ３：画像作成デバイス制御部１６１は、スキャナ制御部１６２から通知された分割数、アドレスを、ファイル管理部１５５に対して分割管理情報として作成を行う。
ＳＴＥＰ４：画像作成デバイス制御部１６１は、スキャナ制御部１６２から通知された書き込みバンドアドレス情報を、ファイル管理部１５５に対してバンド情報（画像のある部分でのライン数情報）として作成を行う。
【実施例３】
【００５８】
次に本発明に係る複合画像形成方法の実施例３について図５を参照して説明する。
図５は、本発明に係る複合画像形成方法の実施例３の説明図である。
このファイルシステムを単純に利用すると、以下のように処理でプロッタ、ファクス、メール（ネットワーク）出力を行うことになる（図の出力装置の動作を示す）。
【００５９】
ＳＴＥＰ１：出力装置は、ファイル管理部１５５（図１参照）に対してドキュメント管理情報の引用を行う。
ＳＴＥＰ２：出力装置は、ページ情報（幅、ライン数）を、ファイル管理部１５５に対してページ管理情報の引用を行う。
ＳＴＥＰ３：出力装置は、分割数、アドレスを、ファイル管理部１５５に対して分割管理情報の引用を行う。
ＳＴＥＰ４：出力装置は、バンドアドレス情報を、ファイル管理部１５５に対してバンド情報として引用を行う。
ＳＴＥＰ５：出力装置は、上記の情報を画像作成デバイス制御部１６１（図１参照）に入力し、かつ出力装置自身にとって最適な圧縮形式・解像度等を指定し、出力のスタートをかける。
尚、図中画像作成デバイスが２つあるのは、画像入力と画像出力との両方に関与するため２つに分けて記載してある。また、出力装置の下向きの矢印は図示しない後処理へ進むことを表す。
【実施例４】
【００６０】
次に本発明に係る複合画像形成方法の実施例４について図６を参照して説明する。
図６は、本発明に係る複合画像形成方法の実施例４の説明図である。
実施例３の方式の場合、出力側制御部が分割されていることを意識して、自身に最適な画像を再構築することを行う必要が生じる。
そこで、プロッタ、ファクス、メール（ネットワーク）といった出力側制御部が共通に利用するファイルシステム自身が分割情報を利用し、一般的なファイル・ページ入出力のインターフェースを提供する。このときの処理の流れを以下に示す。
【００６１】
ファクス出力の要求であれば、ＪＰＥＧからＭＭＲへの変換や、カラーから白黒の変換もファイルシステムの内部で行う。以下のＳＴＥＰ１〜ＳＴＥＰ６は出力装置の動作を示す。
【００６２】
ＳＴＥＰ１：出力装置は、ファイル管理部１５５（図１参照）に対してドキュメント管理情報の引用を行う。
ＳＴＥＰ２：出力装置は、ページ情報（幅、ライン数）を、ファイル管理部１５５に対してページ管理情報の引用を行う。
ＳＴＥＰ３：ＳＴＥＰ２をトリガーにファイル管理部１５５は、分割数、アドレスを、自身のファイル管理部に対して分割管理情報の引用を行う。
ＳＴＥＰ４：出力装置は、バンドアドレス情報を、ファイル管理部１５５に対してバンド情報として引用を行う。
ＳＴＥＰ５：出力装置は、出力装置自身にとって最適な圧縮形式・解像度等をファイルシステムに要求する。
ＳＴＥＰ６：ファイル管理部１５５（図１参照）は、ページ、分割、バンド情報を画像作成デバイス制御部１１１（図１参照）に入力し、かつ出力装置から指定された最適な圧縮形式・解像度等を画像作成デバイス制御部１１１に入力し、出力のスタートをかける。尚、出力装置の下向きの矢印は図示しない後処理へ進むことを表す。
【実施例５】
【００６３】
次に本発明に係る複合画像形成方法の実施例５について図８を参照して説明する。
図８は、本発明に係る複合画像形成方法の実施例５の説明図である。
サムネイル、プレビュー用の画像は、入力装置→画像作成デバイスのパスにて低解像度かつ分割しない形で出力される。以下のＳＴＥＰ１〜ＳＴＥＰ３は画像作成デバイスの動作を示す。
【００６４】
ＳＴＥＰ１：画像作成デバイス制御部１６１（図１参照）は、ファイル管理部１５５から渡された元画像のファイルＩＤを元に、ファイル管理部１５５に対してドキュメントオープン処理（複数のページからなる画像を引用する手続であり、最初に行う。この手続により各ページにアクセスできる。）を行う。
ＳＴＥＰ２：画像作成デバイス制御部１６１は、ファイル管理部１５５に対してページオープン処理（画像にアクセスするための手続）を行う。
ＳＴＥＰ３：画像作成デバイス制御部１６１は、スキャナ制御部１６２から通知された書き込みバンドアドレス情報を、ファイル管理部１５５に対してバンド情報として作成を行う。
尚、図中画像マージとは複数に分割されたページを、連続になるように管理・処理することである。また、出力装置の下向きの矢印は図示しない後処理へ進むことを表す。
【実施例６】
【００６５】
次に本発明に係る複合画像形成方法の実施例６について図９を参照して説明する。
図９は、本発明に係る複合画像形成方法の実施例６の説明図である。
この場合のファイルシステムの構成は図９のようになり、通常の画像と、サムネイルやプレビュー画像とでは、管理方式が異なる。あるいは常に１つ分割という形で管理してもよい。
ＳＴＥＰ１：画像作成デバイス制御部１６１（図１参照）は、ファイル管理部１５５（図１参照）から渡された元画像のファイルＩＤを元に、ファイル管理部１５５に対してドキュメントオープン処理を行う。
ＳＴＥＰ２：画像作成デバイス制御部１６１は、ファイル管理部１５５に対してページオープン処理を行う。
ＳＴＥＰ３：画像作成デバイス制御部１６１は、ファイル管理部１５５に対してサムネイル画像情報の作成を行う。
ＳＴＥＰ４：画像作成デバイス制御部１６１は、ファイル管理部１５５に対して分割管理情報の作成を行う。
ＳＴＥＰ５：画像作成デバイス制御部１６１は、スキャナ制御部１６２（図１参照）から通知された書き込みバンドアドレス情報を、ファイル管理部１５５に対してバンド情報として作成を行う。
【実施例７】
【００６６】
次に本発明に係る複合画像形成方法の実施例７について図１０を参照して説明する。
図１０は、本発明に係る複合画像形成方法の実施例７の説明図である。
サムネイル画像やプレビュー画像は、下記のように分割のまま管理する方がよい場合がある。そのときには下記のような管理方法を選択することが可能である。このときの分割単位は、出力に都合のよい単位ではなく、例えばオペパネ（オペレーションパネル）表示に都合のよい単位にすることが可能である。
【００６７】
ＳＴＥＰ１：画像作成デバイス制御部１６１（図１参照）は、ファイル管理部１５５（図１参照）から渡された元画像のファイルＩＤを元に、ファイル管理部１５５に対してドキュメントオープン処理を行う。
ＳＴＥＰ２：画像作成デバイス制御部１６１は、ファイル管理部１５５に対してページオープン処理を行う。
ＳＴＥＰ３：画像作成デバイス制御部１６１は、ファイル管理部１５５に対してサムネイル画像情報の作成を行う。
ＳＴＥＰ４：画像作成デバイス制御部１６１は、サムネイル画像、プレビュー画像を分割する。
ＳＴＥＰ５：画像作成デバイス制御部１６１は、ファイル管理部１５５に対して分割管理情報の作成を行う。
ＳＴＥＰ６：画像作成デバイス制御部１６１は、スキャナ制御部１６２（図１参照）から通知された書き込みバンドアドレス情報を、ファイル管理部１５５に対してバンド情報として作成を行う。
【実施例８】
【００６８】
図１１は、本発明に係る複合画像形成方法を適用した複合画像形成装置の一実施例の構成図である。
回転可能に支持されて図１１の矢印方向に回転する感光体１の外周部には、除電装置Ｌと、クリーニング装置２と、帯電装置３と、現像装置５とが配設されている。感光体１の外周部における帯電装置３と現像装置５との間には、露光装置４から発せられる光情報を入射させるスペースが確保されている。
図１１に示す構成では感光体１が４個（１ａ，１ｂ，１ｃ，１ｄ）あるが、現像装置５が扱う色材（トナー）の色が異なるのみであり、それぞれの外周部に設けられる画像形成用の上述した部品構成は同じである。
【００６９】
感光体１は、直径が３０ｍｍ〜１００ｍｍ程度のアルミニュム円筒表面に、光導電性物質である有機半導体の層を設けて構成され、その一部が中間転写ベルト（第１の顕像担持手段）１０に接している。
【００７０】
中間転写ベルト１０は、回転するローラ１１、１２、１３により支持され、図１１の矢印方向に移動可能に張架されている。この中間転写ベルト１０の裏側（ループの内側）には、第１の転写手段２０が感光体１の近傍に配備され、感光体１上の顕像を中間転写ベルト１０に転写させる。
中間転写ベルト１０のベルトループの外側における、中間転写ベルト１０から顕像を記録媒体または裏面用中間転写ベルト（第２の顕像担持手段）１００に転写する位置の下流に、中間転写ベルト用クリーニング装置２５が配設されている。このクリーニング装置２５は、中間転写ベルト１０から顕像が他に転写された後でベルト表面に残留する不要のトナーを拭い去る。
【００７１】
露光装置４は公知のレーザ方式によるもので、フルカラー画像形成に対応した光情報を、一様に帯電された感光体１表面に潜像として照射する。この露光装置４としては、ＬＥＤアレイと結像手段とから成る露光装置を用いてもよい。
【００７２】
このように、上述した感光体１と、クリーニング装置２と、帯電装置３と、露光装置４と、現像装置５と、除電装置Ｌと、第１の転写手段２０とが、中間転写ベルト１０に転写する顕像（トナーによる像）を生成する作像手段として機能する。
【００７３】
中間転写ベルト１０は、基体の厚みが５０μｍ〜６００μｍの樹脂フィルムあるいはゴムを基体にしたベルトであり、感光体１からトナーを転写可能とする抵抗値を備える。
この中間転写ベルト１０に対して図１１の右方には、ベルト状の裏面用中間転写ベルト（第２の顕像担持手段）１００が配設されている。この裏面用中間転写ベルト１００は、回転ローラ１１１、１１２、１１３により支持され、図１１の矢印方向に移動可能に張架されており、裏側（ループの内側）には、第２の転写手段１２０が配設されている。裏面用中間転写ベルト１００によるベルトループの外側に、この裏面用中間転写ベルト用クリーニング装置２５０、チャージャＣＨ、などが配設されている。
クリーニング装置２５０は、用紙にトナーを転写した後、裏面用中間転写ベルト１００上に残留する不要のトナーを拭い去る。
【００７４】
上述した第２の転写手段１２０と、ローラ１１３と、中間転写ベルト１０を支持するローラ１１とにより、中間転写ベルト１０と裏面用中間転写ベルト１００とは接触し、あらかじめ定められた転写ニップを形成する。
【００７５】
裏面用中間転写ベルト１００は、基体の厚みが５０μｍ〜６００μｍの樹脂フィルムあるいはゴムを基体にしたベルトで、中間転写ベルト１０からトナーを転写可能とする抵抗値を備えるベルトである。
【００７６】
記録媒体（用紙）Ｐは図の下方の給紙装置（給紙カセット）２６−１、２６−２に収納されており、最上にある用紙が給紙ローラ２７で１枚づつ、複数のガイド２９を経てレジストローラ対２８に搬送される。
記録媒体Ｐが搬送されるさらに下流には、定着用加熱手段３０、排紙ガイド対３１、排紙ローラ対３２、排紙スタック部４０が配設されている。
【００７７】
図１１における中間転写ベルト１０の上方で排紙スタック部４０の下方には、補給用のトナーが収納できる収納部ＴＳが設けてある。トナーの色はマゼンタ、シアン、イエロー、ブラックの四色があり、カートリッジＴＣの形態にされている。このカートリッジＴＣからは、粉体ポンプ等により対応する色の現像装置に適宜補給される。
【００７８】
こうした装置本体の一部であるフレーム５０は、開閉支軸５０Ａを中心として、回動・開放が可能な構造にされている。このため、ユーザはこのフレーム５０を開いた状態とすることにより記録媒体の搬送路を大きく開くことができ、ジャムが発生した場合の記録媒体（用紙）の処理を容易にしている。
【００７９】
また、上述した記録媒体Ｐへの画像形成を行う装置本体の上部に画像読み取り手段６０が支持部６６を介して連設され、この画像読み取り手段６０により読み取られた画像データを上述した装置本体が記録媒体Ｐに印刷することで、コピー動作を可能にするよう構成されている。
【００８０】
この画像読み取り手段６０は、自動原稿送り装置（ＡＤＦ）６１と、コンタクトガラス６２と、露光ランプ６３と、露光ランプ６３による原稿画像からの反射光を反射させて所定の光路に導く複数の反射ミラー６４と、導かれた反射光を受光するイメージセンサアレイ６５とを備え、原稿画像の片面または両面を自動原稿送り装置６１により自動的にコンタクトガラス６２上に読み取り可能にセットして読み取ることができるように構成されている。
【００８１】
画像読み取り手段６０の外周部には、図示しない操作・表示部（表示手段、かつ入力手段）が設けられている。この操作・表示部は、ユーザに各種の操作情報を表示により通知すると共に操作入力を受けるタッチパネルや、テンキーなど各種のボタンを備える。
ユーザは、この操作・入力部により、コピーの片面／両面切り替え、コピー動作の開始、コピー枚数の設定、コピー機能とプリンタ機能との切り替えなどの各種操作を行う。
【００８２】
次に、本実施例としての画像形成装置により両面印刷を行う場合の動作について説明する。
まず作像手段による作像が行われる。
露光装置４の動作により、不図示のＬＤ（Laser Diode）光源からの光は、不図示の光学部品を経て、帯電装置３により一様に帯電された感光体１のうち、まず感光体１ａ上に至り、書き込み情報（色に応じた情報）に対応した潜像を形成する。
【００８３】
感光体１ａの潜像は現像装置５で現像され、トナーによる顕像が感光体１ａの表面に形成・保持される。このトナー像は、第１の転写手段２０により、感光体１ａと同期して移動する中間転写ベルト１０の表面に転写される。
感光体１ａの表面は、残存するトナーがクリーニング装置２でクリーニングされ、除電装置Ｌで除電され次の作像サイクルに備える。
【００８４】
中間転写ベルト１０は、表面に転写されたトナー像を坦持し、図１１の矢印の方向に移動する。上述した感光体１ａの場合と同様の動作により、感光体１ｂには別の色に対応する潜像が書き込まれ、その対応する色のトナーで現像され顕像が形成される。この顕像は、すでに中間転写ベルト１０に転写されている前の色の顕像に重ねられ、最終的に感光体１ａから１ｄにより形成された４色の顕像が重ねられる。
【００８５】
このとき同期して裏面用中間転写ベルト１００は矢印方向に移動していて、中間転写ベルト１０表面に転写された顕像が、第２の転写手段１２０の作用により裏面用中間転写ベルト１００の表面に転写される。
このように、本実施例としての画像形成装置は、いわゆるタンデム形式である４個の感光体１上で顕像が形成されながら、中間転写ベルト１０および裏面用中間転写ベルト１００が移動し、作像が進められるので、感光体１上に顕像を形成して中間転写ベルト１０、裏面用中間転写ベルト１００まで転写していく工程に要する時間が短縮できる構成となっている。
【００８６】
中間転写ベルト１０が所定の位置まで移動すると、記録媒体Ｐのもう一方の面（表面）に転写されるべきトナー画像が、上述した工程で再度作像手段により作像され、給紙が開始される。
給紙ローラ２７が反時計方向に回転すると、給紙装置（給紙カセット）２６内の最上部にある記録媒体Ｐが引き出され、レジストローラ対２８に搬送される。
【００８７】
レジストローラ対２８を経て、中間転写ベルト１０と裏面用中間転写ベルト１００の間に搬送された記録媒体Ｐの片側の面（表面）に、中間転写ベルト１０表面のトナー像が第２の転写手段１２０により転写される。
更に記録媒体Ｐは図１１における上方に搬送され、裏面用中間転写ベルト１００表面のトナー像が、チャージャＣＨにより記録媒体Ｐのもう一方の面（裏面）に転写される。転写に際して、記録媒体Ｐは画像の位置が正規のものとなるよう、主制御部１５０によりタイミングがとられて搬送される。
【００８８】
本実施例では、感光体１上に作像されるトナーの極性はマイナスである。第１の転写手段２０にプラスの電荷を与えることで、感光体１に作像された顕像（トナー）は中間転写ベルト１０に転写される。さらに、第２の転写手段１２０にプラスの電荷を与えることで、中間転写ベルト１０に作像されたトナーは裏面用中間転写ベルト１００に転写される。
こうして、上述のように中間転写ベルト１０表面のトナーが記録媒体Ｐの片側の面（表面）に転写された後、チャージャＣＨからプラス極性の電荷与えることで、裏面用中間転写ベルト１００表面のマイナス極性のトナーは吸引されて、記録媒体Ｐの他の面（裏面）に転写される。
【００８９】
上述した動作により両面にトナー像が転写された記録媒体Ｐは、定着手段３０に送られ、記録媒体上の両面のトナー像が一度に溶融、定着され、ガイド対３１を経て排紙ローラ対３２により本体フレーム上部の排紙スタック部４０に排出される。
【００９０】
図１１に示すように排紙部４０を構成した場合、両面印刷される各面の画像のうち後から作像手段により作像されて記録媒体Ｐに転写される面（頁）、すなわち中間転写ベルト１０から記録媒体Ｐに直接転写される面（表面）が下面となって排紙スタック部４０に載置されるから、頁揃えをしておくには２頁目の画像を作像手段Ｇにより先に作成して裏面用中間転写ベルト１００にそのトナー像（顕像）を保持し、１頁目の画像を中間転写ベルト１０から記録媒体Ｐに直接転写するようにすればよい。
【００９１】
中間転写ベルト１０から記録媒体Ｐの表面に転写される画像は、感光体１表面で正像になるよう露光されて形成され、裏面用中間転写ベルト１００から記録媒体の裏面に転写されるトナー像は、感光体１表面で逆像（鏡像）になるよう露光されて形成される。
このような頁揃えのための作像手順は、画像データを記憶手段（メモリ）に貯蔵する公知の技術を用いることで実現でき、また形成する画像を正像、逆像（鏡像）に切り換えるよう露光することは、公知の画像処理技術を用いることにより実現可能である。
【００９２】
裏面用中間転写ベルト１００から記録媒体Ｐに転写した後、内部に公知のブラシローラ、回収ローラ、ブレード等を備えたクリーニング装置２５０は、裏面用中間転写ベルト１００表面に残留する不要のトナーや紙粉を除去する。
【００９３】
図１１ではブラシローラ２５０が裏面用中間転写ベルト１００表面から離れた状態にある。このブラシローラ２５０は支点２５０Ａを中心として揺動可能に設けられ、裏面用中間転写ベルト１００表面に接離可能な構造になっている。
中間転写ベルト１０から転写されたトナー像を記録媒体Ｐに転写する以前、すなわち裏面用中間転写ベルト１００がトナー像を担持しているときは離れた状態とし、記録媒体Ｐへの転写が行われてクリーニングが必要となったとき、システム制御手段３０１はブラシローラ２５０を図１１での反時計方向に揺動し接触させる。
除去された不要トナーはトナー収納部２５０Ｂに集められる。
〔作用効果〕
図７（ａ）、（ｂ）を参照して効果について説明する。
図７（ａ）、（ｂ）は、図１に示した複合画像形成装置の効果について説明図であり、図７（ａ）は従来の複合画像形成装置の処理時間を示す図、図７（ａ）は本発明に係る複合画像形成装置の処理時間を示す図である。
図７（ａ）、（ｂ）から本発明に係る複合画像形成装置の処理時間が短縮されるのが分かる。
【００９４】
１）請求項１、８の発明によって、共通画像を利用でき、かつ、コピー動作においてはページ全体の読取をまたずに印刷が可能なので、ファーストプリント等の印刷性能を向上させることができる。またファクス送信においてはページ全体の読取をまたずに送信が可能なので、通信時間を節約することができる。その効果は長尺原稿で顕著である。
２）請求項２〜４、９〜１１の発明によって、分割を管理できるファイルシステムを搭載することによって、1ページの画像の特性を意識せずに動作可能な入出力装置をMFPに搭載することが可能となる。その結果、過去の入出力装置の資産を再利用できる効果や、新規に作成する場合でも画像特性を考慮しなくてよいという効果が得られる。
３）請求項５、６、１２、１３の発明によって、出力前のプレビュー画像やサムネイル画像は、一般的な形式に作成可能であるので、再利用しやすくなる。またMFP外部にファイルそのものを転送する場合も扱いやすくなる。
４）請求項７、１４の発明によって、出力前のプレビュー画像やサムネイル画像は、ページ分割することも可能なので、画面の表示可能範囲で分割するようにしておくと、画面スクロールする場合に分割単位で連携できるようになる。これにより、ページ展開するメモリ量を削減することが可能になる。
【産業上の利用可能性】
【００９５】
本発明は、ファクシミリ・アプリケーション以外に他のアプリケーションを有する複合画像形成装置に利用することができる。
【図面の簡単な説明】
【００９６】
【図１】本発明に係る複合画像形成方法を適用した複合画像形成装置の一実施例を示すブロック図である。
【図２】図１に示した複合画像形成装置における分割について説明するための説明図である。
【図３】図１に示した複合画像形成装置におけるソフトウェアの制御についての説明図である。
【図４】本発明に係る複合画像形成方法の実施例２の説明図である。
【図５】本発明に係る複合画像形成方法の実施例３の説明図である。
【図６】本発明に係る複合画像形成方法の実施例４の説明図である。
【図７】（ａ）、（ｂ）は、図１に示した複合画像形成装置の効果について説明図であり、（ａ）は従来の複合画像形成装置の処理時間を示す図、（ａ）は本発明に係る複合画像形成装置の処理時間を示す図である。
【図８】本発明に係る複合画像形成方法の実施例５の説明図である。
【図９】本発明に係る複合画像形成方法の実施例６の説明図である。
【図１０】本発明に係る複合画像形成方法の実施例７の説明図である。
【図１１】本発明に係る複合画像形成方法を適用した複合画像形成装置の一実施例の構成図である。
【符号の説明】
【００９７】
１５０    主制御部
１５１    操作制御部
１５２    Ｇ３／Ｇ４制御部
１５３    プロッタ制御部
１５４    宛先管理部
１５５    ファイル管理部
１５６    レポート制御部
１５７    ネットワーク制御部
１５８    メール制御部
１５９    ユーザ情報
１６０    表示制御部
１６１    画像作成デバイス制御部
１６２    スキャナ制御部
１６３    ジョブ制御部
１６４    ジョブログ
１６５    内部スイッチ
１６６    ページフレーム制御部
１６７    サムネイル画像作成部
１６８    プレビュー画像作成部
１６９    バスライン
【図１】
2008011266.tif 000003
【図２】
2008011266.tif 000004
【図３】
2008011266.tif 000005
【図４】
2008011266.tif 000006
【図５】
2008011266.tif 000007
【図６】
2008011266.tif 000008
【図７】
2008011266.tif 000009
【図８】
2008011266.tif 000010
【図９】
2008011266.tif 000011
【図１０】
2008011266.tif 000012
【図１１】
2008011266.tif 000013